(57)【要約】【課題】  移動ＩＰ電話からの緊急発信を好適な緊急連絡先に接続するために使用される無線ＬＡＮ装置を提供すること。【解決手段】  本発明の無線ＬＡＮ装置（１１）は、移動インターネット電話機（以下、移動ＩＰ電話機（１０））（１０）と無線で通信して、インターネット網（１３）に接続する無線ＬＡＮ装置（１１）であって、移動ＩＰ電話機（１０）と通信する無線部（２１）と、インターネット網（１３）と通信するネットワークインターフェース部（２６）と、位置情報（２２ａ）を含む位置情報テーブル（２２）を記憶する記憶部と、移動ＩＰ電話機（１０）からの発信が緊急発信であることを判別する判別部（２３）と、を具備する。  判別部（２３）が移動ＩＰ電話機（１０）からの発信が緊急発信であると判断した場合に、位置情報（２２ａ）を付加して緊急発信をインターネット網（１３）に送信する。【選択図】  図１
2005027247.tif 000002
【特許請求の範囲】
【請求項１】
移動インターネット電話機（以下、移動ＩＰ電話機）と無線で通信して、前記移動ＩＰ電話機をインターネット網に接続する無線ＬＡＮ装置であって、
前記移動ＩＰ電話機と通信する無線部と、
前記インターネット網と通信するネットワークインターフェース部と、
当該無線ＬＡＮ装置の位置情報を含む位置情報テーブルを記憶する記憶部と、
前記移動ＩＰ電話機からの発信が緊急発信であることを判別する判別部と、
を具備し、
前記判別部が前記移動ＩＰ電話機からの発信が緊急発信であると判断した場合に、前記位置情報を付加して前記緊急発信を前記インターネット網に送信する、
無線ＬＡＮ装置。
【請求項２】
前記判別部は、緊急番号を含む緊急番号テーブルを具備し、
前記判別部は、前記移動ＩＰ電話機からの発信に含まれる通信先の番号が、前記緊急番号テーブルに含まれる場合に、前記発信を前記緊急発信と判断する、
請求項１に記載された無線ＬＡＮ装置。
【請求項３】
さらに、前記記憶部は、当該無線ＬＡＮ装置を特定する識別情報を含み、
前記判別部が前記移動ＩＰ電話機からの発信が緊急発信であると判断した場合に、さらに、前記識別番号を付加して、前記緊急発信を前記インターネット網に送信する、
請求項１または２に記載された無線ＬＡＮ装置。
【請求項４】
さらに、前記位置情報テーブルは、当該無線ＬＡＮ装置が設置された場所に関する設置データを含み、
前記判別部が前記移動ＩＰ電話機からの発信が緊急発信であると判断した場合に、さらに、前記設置データを付加して前記緊急発信を前記インターネット網に送信する、
請求項１〜３の何れかに記載された無線ＬＡＮ装置。
【請求項５】
さらに、グローバルポジショニングシステム（以下、ＧＰＳ）受信機を具備し、
前記位置情報は、前記ＧＰＳ受信機で検出した位置を基に作成される、
請求項１〜４の何れかに記載された無線ＬＡＮ装置。
【請求項６】
前記位置情報は、ＧＰＳ受信機を具備する位置検出機器から入力され、前記記憶部に記録される、
請求項１〜４の何れかに記載された無線ＬＡＮ装置。
【請求項７】
前記位置検出機器は、前記ＧＰＳ受信機を具備する移動ＩＰ電話機である、
請求項６に記載された無線ＬＡＮ装置。
【請求項８】
移動インターネット電話機（以下、移動ＩＰ電話機）と無線で通信する無線ＬＡＮ装置を管理する無線ＬＡＮ装置管理サーバであって、
前記無線ＬＡＮ装置の位置情報を含む位置情報テーブルを記憶する記憶部と、
前記移動ＩＰ電話機からの発信が緊急発信であることを判別する判別部と、
前記無線ＬＡＮ装置を介して受信した前記移動ＩＰ電話機からの発信を前記インターネット網に接続するインターネットインターフェイス部と、
を具備し、
前記判別部が前記移動ＩＰ電話機からの発信が緊急発信であると判断した場合に、前記無線ＬＡＮ装置の前記位置情報を付加して、前記緊急発信を前記インターネット網に送信する、
無線ＬＡＮ装置管理サーバ。
【請求項９】
前記判別部は、緊急番号を含む緊急番号テーブルを具備し、
前記判別部は、前記移動ＩＰ電話機からの発信に含まれる通信先の番号が、前記緊急番号テーブルに含まれる場合に、前記発信を前記緊急発信と判断する、
請求項８に記載された無線ＬＡＮ装置管理サーバ。
【請求項１０】
さらに、前記記憶部は、前記無線ＬＡＮ装置を特定する識別情報を含み、
前記判別部が前記移動ＩＰ電話機からの発信が緊急発信であると判断した場合に、さらに、前記識別番号を付加して、前記緊急発信を前記インターネット網に送信する、
請求項８または９に記載された無線ＬＡＮ装置管理サーバ。
【請求項１１】
さらに、前記位置情報テーブルは、前記無線ＬＡＮ装置が設置された場所に関する設置データを含み、
前記判別部が前記移動ＩＰ電話機からの発信が緊急発信であると判断した場合に、さらに、前記設置データを付加して前記緊急発信を前記インターネット網に送信する、
請求項８〜１０の何れかに記載された無線ＬＡＮ装置管理サーバ。
【請求項１２】
さらに、ＧＰＳ受信機を具備し、
前記位置情報は、前記ＧＰＳ受信機で検知した位置を基に作成される、
請求項８〜１１の何れかに記載された無線ＬＡＮ装置管理サーバ。
【請求項１３】
前記位置情報は、ＧＰＳ受信機を具備する位置検出機器から入力され、前記記憶部に記録される、
請求項８〜１１の何れかに記載された無線ＬＡＮ装置管理サーバ。
【請求項１４】
前記位置検出機器は、前記ＧＰＳ受信機を具備する移動ＩＰ電話機である、
請求項１３に記載された無線ＬＡＮ装置管理サーバ。
【請求項１５】
移動ＩＰ電話機と無線通信する無線ＬＡＮ装置の位置を検出し、位置情報として記憶する位置登録ステップと、
前記無線ＬＡＮ装置が前記移動ＩＰ電話機からの発信信号を受信する受信ステップと、
前記発信信号が緊急発信信号であるが判断する緊急判断ステップと、
前記発信信号が緊急発信信号の場合に、前記位置情報を付加して前記緊急発信信号をインターネット網に送信する接続ステップと、
を含む、
移動ＩＰ電話の接続方法。
【請求項１６】
さらに、前記接続ステップは、前記無線ＬＡＮ装置の識別情報を付加するステップを含む、
請求項１５に記載された移動ＩＰ電話の接続方法。
【請求項１７】
前記位置登録ステップにおいて、前記無線ＬＡＮ装置の位置の検出は、ＧＰＳ受信機を具備する位置検出装置で行われる、
請求項１５または１６に記載された移動ＩＰ電話の接続方法。
【請求項１８】
さらに、インターネット網に設置された緊急先所轄管理サーバが、前記位置情報から、前記発信信号を接続する緊急接続先を選択するステップと、
前記発信信号を、前記緊急接続先に送信するステップと、
前記緊急接続先が前記発信信号に応答することにより、通話が開始されるステップと、を含む
請求項１５〜１７の何れかに記載された移動ＩＰ電話の接続方法。
【発明の詳細な説明】
【技術分野】
【０００１】
本発明は、移動ＩＰ電話接続用の無線ＬＡＮ装置に関し、特に緊急通信に対応する移動ＩＰ電話接続用の無線ＬＡＮ装置に関する。
【背景技術】
【０００２】
インターネット網を使用して電話通信を行うインターネット電話（以下、ＩＰ電話）が使用されている。
さらに、無線ＬＡＮ（ローカルエリアネットワーク、以下ＬＡＮ）を使用して、移動可能な端末が使用できる移動ＩＰ電話サービスが行われている。
このような、移動ＩＰ電話機を使用して警察署や消防署に緊急通報をする場合、以下のような問題が生じる場合がある。
【０００３】
従来の電話網では、緊急通報の場合、接続されている交換機から所轄の警察署や消防署の指令台へ、自動的に接続が行われる。通常の携帯電話の場合でも、通信している無線基地局の位置により、所轄の警察署や消防署が選択され接続される。しかし、移動ＩＰ電話による通信の場合、一旦インターネット網を介するので、発信位置、接続地点の特定が困難となる。このため、移動ＩＰ電話機からの緊急発信を、どの警察署や消防署に接続するかを決定することが困難な場合がある。
さらに、従来の電話網は、緊急通報の場合に、回線が切断されても指令台で回線を保持する回線保持機能、指令台から切断されたユーザを呼出せる再呼出機能、発信者番号取得による通報者の位置特定機能を備えている場合がある。しかし、ＩＰ電話機による通信では、これらの機能を有していない。
このため、ＩＰ電話による緊急発信の好適な接続、通信の信頼性確保が求められる。
【０００４】
従来の緊急電話の接続方法として、固定の電話機から緊急発信（通常３桁の１１０，１１９）がなされた場合、緊急発信は、固定電話機から交換機を介して一般回線網（ＰＳＴＮ）に接続され、緊急連絡先（警察署や消防署の指令台）へ接続される。緊急発信（通常３桁の１１０，１１９）には、市外局番等の地域指定情報は含まず、緊急接続先は電話網側で選択される。
この場合、接続される緊急連絡先は、固定電話機が接続されている交換機の設置地域から特定することができる。また、信号を発信した固定電話機に割当てられている電話番号から、地域を限定し、接続される緊急連絡先を特定することもできる。
【０００５】
無線網を使用する通信の事例として、特開２００２−２６９６６０（特許文献１）に掲載された緊急通報システムおよび緊急通報方法に関する技術がある。
この発明では、移動体端末のインターネットメール機能を使用して緊急通報を行う緊急通報システムであって、前記移動体端末からの緊急通報メールを中継する通信センターが、緊急通報メールの発信者に関する固有情報と位置情報を識別し、識別された情報内容に応じて取得した緊急通報メールを転送し、転送された緊急通報メールを受信する救済端末が、転送された緊急通報メールに基づいて出動要請を実行するように構成されたことを特徴とする緊急通報システムに関する技術が開示されている。
この発明には、移動体網よりＧＰＳによる位置情報を提供することが記載されている。
【０００６】
また、ＧＰＳを搭載した携帯電話が使用される場合がある。携帯電話がＧＰＳによる位置検出機能を有していれば、緊急通信において自分の位置を送信することが可能となる。
しかし、現在、ＧＰＳによる位置検出機能は、全ての携帯電話に搭載されている状況ではない。
【０００７】
また、ＰＨＳのように基地局が固定され、かつ電話網でこの基地局の設置位置データを特定することができる場合は、基地局の位置から緊急連絡先を選択することができる場合がある。
【０００８】
しかし、インターネット網を利用したＩＰ電話では、インターネット網を介して送られる緊急発信には発信元の位置データが含まれていない。このため、無線ＬＡＮ装置などの端末装置がＣＡＴＶ網、ＦＴＴＨなどに接続されその接続先がインターネット網へ接続され、当該無線ＬＡＮ装置に無線接続された移動ＩＰ電話機から緊急発信がなされたされた場合は、移動ＩＰ電話機の位置が把握できず、どこの緊急連絡先に接続し、着信させるのか不明となる。
【０００９】
また、０５０を含むＩＰ電話番号体系においては、インターネットを介して接続されることで、番号には何ら位置情報が含まれない。このため、電話番号から位置を予測し、緊急発信に対して最適な管轄の緊急宛先を特定できない場合がある。０５０などのＩＰ電話番号体系であっても、加入者番号での加入電話機が固定の設置場所であれば、事前の登録により設置場所の住所情報から緊急宛先を特定することは可能である場合もある。しかし、移動端末としてのＩＰ電話機であれば、無線ＬＡＮ装置からインターネット網へ接続された場所は特定できず、緊急宛先の選択ができない。
【００１０】
【特許文献１】特開２００２−２６９６６０号公報
【発明の開示】
【発明が解決しようとする課題】
【００１１】
本発明の目的は、移動ＩＰ電話からの緊急発信を好適な緊急連絡先に接続するために使用される無線ＬＡＮ装置を提供することにある。
【課題を解決するための手段】
【００１２】
以下に、［発明を実施するための最良の形態¨で使用する番号・符号を用いて、課題を解決するための手段を説明する。これらの番号・符号は、［特許請求の範囲¨の記載と［発明を実施するための最良の形態¨の記載との対応関係を明らかにするために付加されたものであるが、［特許請求の範囲¨に記載されている発明の技術的範囲の解釈に用いてはならない。
【００１３】
本発明の無線ＬＡＮ装置（１１）は、移動インターネット電話機（以下、移動ＩＰ電話機）（１０）と無線で通信して、移動ＩＰ電話機（１０）をインターネット網（１３）に接続する無線ＬＡＮ装置（１１）であって、移動ＩＰ電話機（１０）と通信する無線部（２１）と、インターネット網（１３）と通信するネットワークインターフェース部（２６）と、当該無線ＬＡＮ装置（１１）の位置情報（２２ａ）を含む位置情報テーブル（２２）を記憶する記憶部と、移動ＩＰ電話機（１０）からの発信が緊急発信であることを判別する判別部（２３）と、を具備する。
判別部（２３）が移動ＩＰ電話機（１０）からの発信が緊急発信であると判断した場合に、緊急発信に位置情報（２２ａ）を付加して緊急発信をインターネット網（１３）に送信する。
【００１４】
本発明の無線ＬＡＮ装置（１１）の判別部（２３）は、緊急番号を含む緊急番号テーブル（２３ａ）を具備する。
判別部（２３）は、移動ＩＰ電話機（１０）からの発信に含まれる通信先の番号が、緊急番号テーブル（２３ａ）に含まれる場合に、発信を緊急発信と判断する。
【００１５】
さらに、本発明の無線ＬＡＮ装置（１１）の記憶部は、本無線ＬＡＮ装置を特定する識別情報（２２ｄ）を含む。
判別部（２３）が移動ＩＰ電話機（１０）からの発信が緊急発信であると判断した場合に、さらに、識別番号（２２ｄ）を付加して、緊急発信をインターネット網（１３）に送信する。
【００１６】
さらに、本発明の無線ＬＡＮ装置（１１）の位置情報テーブル（２２）は、本無線ＬＡＮ装置が設置された場所に関する設置データ（２２ｂ）を含む。
判別部（２３）が移動ＩＰ電話機（１０）からの発信が緊急発信であると判断した場合に、さらに、設置データ（２２ｂ）を付加して緊急発信をインターネット網（１３）に送信する。
【００１７】
さらに、本発明の無線ＬＡＮ装置（１１）は、グローバルポジショニングシステム（以下、ＧＰＳ）受信機を具備する。
位置情報（２２ａ）は、ＧＰＳ受信機で検出した位置を基に作成される。
【００１８】
本発明の無線ＬＡＮ装置（１１）が記憶する位置情報（２２ａ）は、ＧＰＳ受信機（４１）を具備する位置検出機器（４０）から入力され、記憶部に記録される。
【００１９】
上記位置検出機器（４０）は、ＧＰＳ受信機を具備する移動ＩＰ電話機（１０）が使用される場合がある。
【００２０】
本発明の無線ＬＡＮ装置管理サーバ（１２）は、移動インターネット電話機（以下、移動ＩＰ電話機）（１０）と無線で通信する無線ＬＡＮ装置（１１）を管理する無線ＬＡＮ装置管理サーバ（１２）であって、無線ＬＡＮ装置（１１）の位置情報（３２ａ）を含む位置情報テーブル（３２）を記憶する記憶部と、移動ＩＰ電話機（１０）からの発信が緊急発信であることを判別する判別部（３３）と、無線ＬＡＮ装置（１１）を介して移動ＩＰ電話機（１０）からの発信をインターネット網（１３）に接続するインターネットインターフェイス部（３６）と、を具備する。
判別部（３３）が移動ＩＰ電話機（１０）からの発信が緊急発信であると判断した場合に、無線ＬＡＮ装置（１１）の位置情報（３２ａ）を付加して、緊急発信をインターネット網（１３）に送信する。
【００２１】
本発明の無線ＬＡＮ装置管理サーバ（１２）の判別部（３３）は、緊急番号を含む緊急番号テーブル（３３ａ）を具備する。
判別部（３３）は、移動ＩＰ電話機（１０）からの発信に含まれる通信先の番号が、緊急番号テーブル（３３ａ）に含まれる場合に、発信を緊急発信と判断する。
【００２２】
さらに、本発明の無線ＬＡＮ装置管理サーバ（１２）の記憶部は、無線ＬＡＮ装置（１１）を特定する識別情報（３２ｄ）を含む。
判別部（３３）が移動ＩＰ電話機（１０）からの発信が緊急発信であると判断した場合に、さらに、識別番号（３３）を付加して、緊急発信をインターネット網（１３）に送信する。
【００２３】
さらに、本発明の無線ＬＡＮ装置管理サーバ（１２）の位置情報テーブル（３２ａ）は、無線ＬＡＮ装置（１１）が設置された場所に関する設置データ（３３ｂ）を含む。
判別部（３３）が移動ＩＰ電話機（１０）からの発信が緊急発信であると判断した場合に、さらに、設置データ（３３ｂ）を付加して緊急発信をインターネット網（１３）に送信する。
【００２４】
本発明の無線ＬＡＮ装置管理サーバ（１２）は、さらに、ＧＰＳ受信機（８１）を具備する。
位置情報（８２ａ）は、ＧＰＳ受信機（８１）で検知した位置を基に作成される。
【００２５】
本発明の無線ＬＡＮ装置管理サーバで記憶される位置情報は、ＧＰＳ受信機（４１）を具備する位置検出機器（４０）から入力され、記憶部に記録される。
【００２６】
上記位置検出機器（４０）は、ＧＰＳ受信機（８１）を具備する移動ＩＰ電話機（１０）が使用される場合がある。
【００２７】
本発明の移動ＩＰ電話の接続方法は以下のステップを含む。
移動ＩＰ電話機（１０）と無線通信する無線ＬＡＮ装置（１１）の位置を検出し、位置情報として記憶する位置登録ステップ。
無線ＬＡＮ装置（１１）が移動ＩＰ電話機（１０）からの発信信号を受信する受信ステップ。
その発信信号が緊急発信信号であるが判断する緊急判断ステップ。
その発信信号が緊急発信信号の場合に、位置情報を付加して緊急発信をインターネット網（１３）に送信する接続ステップ。
【００２８】
さらに、接続ステップは、無線ＬＡＮ装置（１１）の識別情報を付加するステップを含む。
【００２９】
さらに、位置登録ステップにおいて、無線ＬＡＮ装置（１１）の位置の検出は、ＧＰＳ受信機（４１）を具備する位置検出機器（４０）で行われる。
【００３０】
さらに、本発明の移動ＩＰ電話の接続方法は以下のステップを含む。
インターネット網（１３）に設置された緊急先所轄管理サーバ（１４）が、位置情報から、発信信号を接続する緊急接続先（１５、１６）を選択するステップ。
その発信信号を、緊急接続先（１５，１６）に送信するステップ。
緊急接続先（１５，１６）が発信信号に応答することにより、通話が開始されるステップ。
【発明の効果】
【００３１】
本発明の移動ＩＰ電話の接続方法は、移動ＩＰ電話からの緊急発信に、受信した無線ＬＡＮ装置が位置情報を付加することで、好適な緊急連絡先に接続することができる方法を提供できる。
【発明を実施するための最良の形態】
【００３２】
添付図面を参照して、本発明による移動ＩＰ電話による緊急発信の接続方法が以下に説明される。
図１は、移動ＩＰ電話による緊急発信の接続方法を説明するための構成図である。
移動インターネット電話機（以下：移動ＩＰ電話機）１０から緊急発信が行われる場合が説明される。
移動ＩＰ電話機１０からの発信は、近くの無線ＬＡＮ装置１１で受信される。無線ＬＡＮ装置１１は、移動ＩＰ電話機１０からの発信が１１０番や１１９番などの緊急発信であるか判別する。緊急発信の場合、無線ＬＡＮ装置１１は、発信情報に当該無線ＬＡＮ装置１１の位置データを付加する。位置データに加え、設置されている場所に関する設置データ、無線ＬＡＮ装置１１を特定するＭＡＣアドレス、緊急発信を受信した時刻の少なくとも何れかが付加される場合がある。無線ＬＡＮ装置１１は、自体の位置データ、設置データ、ＭＡＣアドレスを記憶している。
無線ＬＡＮ装置１１は、インターネット網１３に接続されたインターネットサービスプロバイダーサーバ（以下；ＩＳＰサーバ）１８へ、移動ＩＰ電話機１０からの通信を送信する。
移動ＩＰ電話機１０からの発信が緊急発信の場合、通信データは、ＩＳＰサーバ１８から緊急先所轄管理サーバ１４へ送信される。緊急先所轄管理サーバ１４は、通信データに含まれる、緊急先番号と無線ＬＡＮ装置１１の位置データから、接続する緊急電話機１５、１６を選択する。緊急先所轄管理サーバ１４は、緊急発信を緊急電話機１５、１６に送信する。
選択された緊急電話機が、通常電話網５０に接続された固定緊急電話機１５の場合は、通話データは、インターネット網１３と通常電話網５０を仲介するゲートウェイ１７を介して通信される。
【００３３】
なお、複数の無線ＬＡＮ装置１１が管理サーバ１２で管理される場合は、緊急発信の判断と無線ＬＡＮ装置１１の位置データの付加を、管理サーバ１２が実施するように構成される場合がある。
また、無線ＬＡＮ装置１１もしくは管理サーバ１２への無線ＬＡＮ装置１１の位置データの登録は、無線ＬＡＮ装置１１もしくは管理サーバ１２が、グローバルポジショニングシステム（以下；ＧＰＳ）受信機を具備して、位置データを検出して記憶する場合がある。
もしくは、別途ＧＰＳ受信機を具備する無線ＬＡＮ位置情報設定装置４０により、無線ＬＡＮ装置１１の位置が検出され、無線ＬＡＮ装置１１もしくは管理サーバ１２にその位置情報が入力されて、記憶される場合がある。さらに、無線ＬＡＮ位置情報設定装置４０として、ＧＰＳ受信機を具備する移動ＩＰ電話機１０が使用される場合がある。
【００３４】
移動ＩＰ電話機１０は無線ＬＡＮ装置１１の限定された通信範囲内（ホットスポット）に存在するので、無線ＬＡＮ装置１１の位置を示す位置データから所轄の緊急連絡先が選択されることにより、移動ＩＰ電話機１０に位置に対して好適な所轄の緊急連絡先が選択される。
さらに、無線ＬＡＮ装置１１の位置データと通信範囲から、移動ＩＰ電話機１０が存在する範囲を予想することができる。
また、緊急発信に無線ＬＡＮ装置１１のＭＡＣアドレスが付加されて送付されることにより、再呼出が容易となる。さらに、緊急先所轄管理サーバ１４が発信元および接続先の情報を記憶して接続を保持し、一方のみが切断された場合に再接続することで接続を保持することができる場合がある。
【００３５】
次に、図１に示される構成が説明される。
移動ＩＰ電話機１０は、緊急発信を行うユーザが使用する携帯可能な移動ＩＰ電話機１０である。移動ＩＰ電話機１０は、発信信号および通話データを複数のパケットにして無線で発信する。緊急発信信号は、１１０番や１１９番などの緊急発信番号、発信を行った時刻、移動ＩＰ電話機１０の電話番号に相当する固有番号、移動ＩＰ電話機１０に設定されているＩＰアドレスを含む。移動ＩＰ電話機１０から無線ＬＡＮ装置１１への緊急発信番号、時刻、固有番号、ＩＰアドレスの送信は、所定のプロトコルにより行われる。
【００３６】
無線ＬＡＮ装置１１は、移動ＩＰ電話機１０からの発信を受信してインターネット網１３に接続する装置である。無線ＬＡＮ装置１１は、移動ＩＰ電話機１０からの信号が緊急発信であるか、信号に含まれる緊急発信番号を識別して判断する。移動ＩＰ電話機１０からの信号が緊急発信の場合、無線ＬＡＮ装置１１は自体の位置データを付加してインターネット網１３に送信する。無線ＬＡＮ装置１１の設置位置に関する情報である設置データを付加する場合もある。さらに、無線ＬＡＮ装置１１自体を特定するためのＭＡＣアドレスを付加する場合もある。
【００３７】
管理サーバ１２が、複数の無線ＬＡＮ装置１１を管理するために設置される場合がある。管理サーバ１２は、設置される場合と設置されない場合がある。無線ＬＡＮ装置１１の代わりに、管理サーバ１２が、移動ＩＰ電話機１０からの信号が緊急発信であるか緊急発信番号を識別して判断する場合がある。さらに、移動ＩＰ電話機１０からの信号が緊急発信の場合、無線ＬＡＮ装置１１の位置データを付加してインターネット網１３に接続する場合がある。
【００３８】
無線ＬＡＮ位置情報設定装置４０は、無線ＬＡＮ装置１１の位置データを無線ＬＡＮ装置１１もしくは管理サーバ１２に登録するための装置である。無線ＬＡＮ位置情報設定装置４０は、ＧＰＳ受信機を具備し、位置を検出する。そして、無線ＬＡＮ位置情報設定装置４０は、検出した位置を位置データとして無線ＬＡＮ装置１１もしくは管理サーバ１２に出力する。位置データは、無線ＬＡＮ装置１１が設置される位置で無線ＬＡＮ位置情報設定装置４０により測定される。もしくは、屋内などでＧＰＳ衛星６０からの信号が受信できない場合、無線ＬＡＮ位置情報設定装置４０は、ＧＰＳ衛星６０からの信号を受信できる場所で位置を検出し、その位置から無線ＬＡＮ装置１１を設置する位置までの方向と距離を入力して補正することができる機能を有する。
また、無線ＬＡＮ装置１１もしくは管理サーバ１２自体がＧＰＳ受信機を具備し、位置を検出するように構成することもできる。
【００３９】
インターネット網１３は、現在および将来使用されるインターネットのネットワークである。
ＩＳＰサーバ１８−ｎ（ｎ＝１、２、…）は、無線ＬＡＮ装置１１もしくは管理サーバ１２からの信号をインターネット網１３に接続するインターネットサービスプロバイダーのサーバにである。複数のサーバ１８−ｎによりインターネット網１３が形成される。緊急発信番号を含む信号は、ＩＳＰサーバ１８−ｎから緊急先所轄管理サーバ１４に送信される。
【００４０】
緊急先所轄管理サーバ１４は、緊急発信された信号を受信し、その信号に含まれる位置データから、その位置を所轄する緊急連絡先のＩＰ緊急電話機１６−ｎもしくは固定緊急電話機１５−ｎを選択する。緊急先所轄管理サーバ１４は、選択した緊急連絡先を緊急発信のあて先として設定する。
【００４１】
ＩＰ緊急電話機１６−ｎは、ＩＰ電話機として設置されている緊急電話機である。ＩＰ緊急電話機１６−ｎは、警察署や消防署の指令台に設置される。
固定緊急電話機１５−ｎは、通常電話網５０に接続される緊急電話機である。固定緊急電話機１５−ｎは、警察署や消防署の指令台に設置される。
インターネット網１３から通常電話網１７と、ゲートウェイ１７により接続される場合がある。
固定電話５２から緊急発信信号が発信される場合は、交換機５１に接続され、所轄の固定緊急電話機１５−ｎへ接続される。
【００４２】
次に、図２を参照して無線ＬＡＮ装置１１の構成が説明される。
無線ＬＡＮ装置１１は、無線部２１、位置情報テーブル２２、緊急発信判定部２３、一時記憶部２４、時刻管理部２５、ネットワークインターフェース２６、制御部２７を具備する。
【００４３】
無線部２１は、移動ＩＰ電話機と無線で通信するための送受信部である。発信を行った移動ＩＰ電話機１０の近くに設置された無線ＬＡＮ装置１１の無線部２１が信号を受信して通信を確立する。
【００４４】
位置情報テーブル２２は、記憶部（図示なし）に記憶されるテーブルで、位置データ２２ａと設置データ２２ｂを含む。位置データ２２ａは当該無線ＬＡＮ装置１１の設置位置を示すデータで、緯度・経度で示される。設置データ２２ｂは、当該無線ＬＡＮ装置１１が設置されている設置場所に関する情報を含む。例えば、設置データ２２ｂは、建物の階数、部屋番号を含む場合がある。
【００４５】
緊急発信判定部２３は、移動ＩＰ電話機１０からの発信信号が緊急発信番号、すなわち１１０番や１１９番を含んでいるか判定する。緊急発信判定部２３は、緊急番号テーブル２３ａを具備している。緊急発信判定部２３は、移動ＩＰ電話機１０からの発信信号が緊急番号テーブル２３ａに含まれる緊急番号と一致するものを含んでいれば、緊急発信信号と判断する。
【００４６】
一時記憶部２４は、緊急発信を行った移動ＩＰ電話機１０の固有番号（発信者番号）あるいはＩＰアドレスを含む一時記憶ファイルデータ２４ａを一時的に記憶する。一時記憶ファイルデータ２４ａには、位置データ２２ａ、設置データ２２ｂ、緊急発信を受信した時刻、無線ＬＡＮ装置１１を特定するＭＡＣアドレスを含む場合がある。
【００４７】
時刻管理部２５は、移動ＩＰ電話機１０からの緊急発信を受信した時刻を検出する。緊急発信を受信した時刻は、一時記憶ファイルデータ２４ａに含まれる場合がある。
【００４８】
ネットワークインターフェース２６は、ＩＳＰサーバ１８と接続するためのインターフェイスである。
【００４９】
制御部２７は、ＣＰＵとメモリーを具備する演算部で、各部の制御、データの抽出、処理、作成、記録に例示される動作を行う。
【００５０】
次に、図３を参照して管理サーバ１２の構成が説明される。無線ＬＡＮ装置１１に、緊急発信の判別機能、位置データの付加機能がない場合に、無線ＬＡＮ装置１１を管理する管理サーバ１２が、それらの機能を実施するように構成することもできる。
管理サーバ１２は、複数の無線ＬＡＮ装置１１を管理する場合がある。さらに、無線ＬＡＮ装置１１で受信された信号は、管理サーバ１２を介してＩＳＰサーバ１８に送信される。
管理サーバ１２は、位置情報テーブル３２、緊急発信判定部３３、一時記憶部３４、時刻管理部３５、ネットワークインターフェース３６、制御部３７を具備する。
【００５１】
位置情報テーブル３２は、記憶部（図示なし）に記憶されるテーブルで、管理対象の無線ＬＡＮ装置１１に対応した位置データ３２ａと設置データ３２ｂを含む。位置データ３２ａは管理対象の無線ＬＡＮ装置１１の設置位置を示すデータで、緯度・経度で示される。設置データ３２ｂは、管理対象の無線ＬＡＮ装置１１が設置されている設置場所に関する情報を含む。例えば、設置データ３２ｂは、建物の階数、部屋番号を含む場合がある。
【００５２】
緊急発信判定部３３は、移動ＩＰ電話機１０からの発信信号が緊急発信番号、すなわち１１０番や１１９番を含んでいるか判定する。緊急発信判定部３３は、緊急番号テーブル３３ａを具備している。緊急発信判定部３３は、移動ＩＰ電話機１０からの発信信号が緊急番号テーブル３３ａに含まれる緊急番号と一致するものを含んでいれば、緊急発信信号と判断する。
【００５３】
一時記憶部３４は、緊急発信を行った移動ＩＰ電話機１０の固有番号（発信者番号）あるいはＩＰアドレスを含む一時記憶ファイルデータ３４ａを一時的に記憶する。さらに、一時記憶ファイルデータ３４ａは、位置データ３２ａ、設置データ３２ｂ、緊急発信を受信した時刻、無線ＬＡＮ装置１１を特定するＭＡＣアドレスを含む。
【００５４】
時刻管理部３５は、移動ＩＰ電話機１０からの緊急発信を受信した時刻を検出する。緊急発信を受信した時刻は、一時記憶ファイルデータ３４ａに含まれる場合がある。
【００５５】
ネットワークインターフェース３６は、ＩＳＰサーバ１８および無線ＬＡＮ装置１１と接続するためのインターフェイスである。
【００５６】
制御部３７は、ＣＰＵとメモリーを具備する演算部で、無線ＬＡＮ装置および各部の制御、データの抽出、処理、作成、記録に例示される動作を行う。
【００５７】
次に、図４を参照して無線ＬＡＮ位置情報設定装置４０の構成が説明される。
無線ＬＡＮ位置情報設定装置４０は、無線ＬＡＮ装置１１もしくは管理サーバ１２に、位置データおよび設置データを入力するために用いられる。
無線ＬＡＮ位置情報設定装置４０は、ＧＰＳ部４１、キー入力部４４、位置情報テーブル４３、無線部４２、表示部４５、補正処理部４６、制御部４７、電源部４８を具備する。
ＧＰＳ部４１は、ＧＰＳ衛星６０からの電波を受信して位置を検知する装置である。ＧＰＳ部４１は、緯度、経度情報として現在位置を検知することができる。なお、ＧＰＳの代わりにＤＧＰＳを使用することにより、誤差を小さくすることができるため好ましい場合がある。
キー入力部４４は、キーボードに例示される入力部である。位置測定の命令の入力や、位置データの補正、設置データの入力、位置データの出力命令の入力に使用される。ＧＰＳ部４１での位置検出の他に、キー入力部４４から住所・番地、もしくは郵便番号を入力することで位置データが作成される場合もある。
位置情報テーブル４３は、測定した位置データと対応する無線ＬＡＮ装置１１とを関連付けて記憶する。位置情報テーブル４３は、位置データ４３ａと設置データ４３ｂを含む。位置データ４３ａは、緯度、経度で示される。設置データ４３ｂは、無線ＬＡＮ装置１１の設置された場所の情報を含む。
無線部４２は、無線ＬＡＮ装置１１もしくは管理サーバ１２に位置データ４３ａおよび設置データ４３ｂを無線で入力する無線装置である。無線部４２の代わりに、ＵＳＢに例示されるケーブルでデータを送信する送信部が使用される場合がある。
表示部４５は、情報を表示するディスプレイである。
補正処理部４６は、対応する無線ＬＡＮ装置１１に合わせて位置データ４３ａを補正する機能を有する。具体的には、無線ＬＡＮ装置１１が屋内に設置され、設置場所でＧＰＳ衛星からの信号を受信できない場合、無線ＬＡＮ位置情報設定装置４０で信号を受信できる位置で位置データを測定し、測定した位置と設置した位置の差を入力することで補正処理部４６が、位置データ４３ａの補正を行う。
制御部４７は、ＣＰＵを含む演算装置で、データの処理、記憶、送信、各部の制御を行う。
電源部４８は、コンセント接続部もしくはバッテリーに例示される電源を含む。無線ＬＡＮ位置情報設定装置４０は、位置測定のため携帯型でることが好ましいため、電源部４８は、バッテリーが好ましい。
【００５８】
なお、無線ＬＡＮ位置情報設定装置４０として、ＧＰＳ機能を有する移動ＩＰ電話機１０を使用しても良い。
さらに、ＧＰＳ機能を有する移動ＩＰ電話機１０との通話により、その移動ＩＰ電話機１０の位置情報を取得して蓄積することで、無線ＬＡＮ装置１１の通信範囲を特定して行くように構成することもできる。
【００５９】
なお、個々の無線ＬＡＮ装置１１もしくは管理サーバ１２が、無線ＬＡＮ位置情報設定装置４０の機能を有するように構成することもできる。
【００６０】
図５を参照して、ＧＰＳ受信部８１を有する場合の管理サーバ１２’の構成が説明される。
この管理サーバ１２’は、ＧＰＳ受信部８１、位置情報テーブル８２、緊急発信判別部８３、一時記憶部８４、時刻管理部８５、キー入力部８６、表示部８７、補正処理部８８、ネットワークインターフェース８９、制御部９０を具備する。
位置情報テーブル８２、緊急発信判別部８３、一時記憶部８４、時刻管理部８５、ネットワークインターフェース８９、制御部９０は、図３で説明された管理サーバ１２の対応する部分と同じ機能を有するので説明は省略される。
ＧＰＳ受信部８１、キー入力部８６、表示部８７、補正処理部８８は、図４で説明された無線ＬＡＮ位置情報設定装置４０の対応する部分と同じ機能を有するので説明は省略される。
管理サーバ１２’が、位置を検出することにより、無線ＬＡＮ位置情報設定装置４０を使用する必要がない。同様に、目線ＬＡＮ装置１１にも、無線ＬＡＮ位置情報設定装置４０の機能を有するように構成することもできる。
【００６１】
図６は、位置情報テーブルの例を示す。図６Ａは、無線ＬＡＮ装置１１に記憶される位置情報テーブル２２を、図６Ｂは、３基の無線ＬＡＮ装置１１を管理する管理サーバ１２に記憶される位置情報テーブル３２の例を示す。
【００６２】
図６Ａに示される位置情報テーブル２２は、ＭＡＣアドレス２２ｄ、位置データ２２ａ、設置データ２２ｂを含む。ＭＡＣアドレス２２ｄは、この位置データ２２を記憶している無線ＬＡＮ装置１１を特定する情報である。位置情報テーブル２２は、各無線ＬＡＮ装置１１に記憶されるデータなので、ＭＡＣアドレス２２ｄを別に記憶していても良い。
位置データ２２ａは、無線ＬＡＮ装置１１の位置を特定するデータである。位置データ２２ａは、緯度・経度で示される場合がある。設置データ２２ｂは、無線ＬＡＮ装置１１が設置される場所の情報を含む。具体的には、設置データ２２ｂは、階数や部屋番号を含む場合がある。
位置情報テーブル２２は、各無線ＬＡＮ装置１１に記憶されるデータなので、一件の位置データ２２ａと設置データ２２ｂが記憶される。位置情報テーブル２２の情報は、無線ＬＡＮ位置情報設定装置４０から入力される場合がある。
【００６３】
図６Ｂに示される位置情報テーブル３２は、複数のＭＡＣアドレス３２ｄ、位置データ３２ａ、設置データ３２ｂを含む。ＭＡＣアドレス３２ｄは、管理サーバ１２が管理している複数の無線ＬＡＮ装置１１を特定する情報である。
位置データ３２ａは、対応する無線ＬＡＮ装置１１の位置を特定するデータである。位置データ３２ａは、緯度・経度で示される場合がある。設置データ３２ｂは、対応する無線ＬＡＮ装置１１が設置される場所の情報を含む。具体的には、設置データ３２ｂは、階数や部屋番号を含む場合がある。
位置情報テーブル３２は、複数の無線ＬＡＮ装置１１を管理する管理サーバ１２に記憶されるデータなので、複数のＭＡＣアドレス３２ｄとそれに対応するの位置データ３２ａと設置データ３２ｂが記憶される。位置情報テーブル３２の情報は、無線ＬＡＮ位置情報設定装置４０から入力される場合がある。
【００６４】
図７は、緊急発信がされた時に、管理サーバ１２の一時記憶部に記憶される一時記憶ファイルデータ３４ａの例が示される。
一時記憶ファイルデータ３５ａは、無線ＬＡＮ装置１１を介して移動ＩＰ電話機１０から緊急発信が発信されたことを検知した場合、一時記憶部３４に一時記憶ファイルデータ３４ａを作成する。
一時記憶ファイルデータ３４ａは、信号を受信した無線ＬＡＮ装置１１のＭＡＣアドレス７１、発信された緊急番号７２、受信した時刻７３、緊急発信を行った移動ＩＰ電話機１０の固有番号７４とＩＰアドレス７５を含む。
固有番号７４は、移動ＩＰ電話機１０に固有に付けられた電話番号である。
ＩＰアドレス７５は、移動ＩＰ電話機１０に固有に付けられたアドレスである。
【００６５】
図８は、無線ＬＡＮ装置１１もしくは管理サーバ１２からインターネット網１３に送信される緊急発信に含まれる送信データの一部を示す。
この送信データは、緊急発信番号９１、時刻９２、位置データ９３、固有番号９４、ＩＰアドレス９５、ＭＡＣアドレス９６、設置データ９７を含む。
緊急発信番号９１は、移動ＩＰ電話１０が発信した緊急発信番号である。
時刻９２は、移動ＩＰ電話１０が発信した時刻もしくは、無線ＬＡＮ装置１１もしくは管理サーバ１２が、緊急発信を受信した時刻である。
位置データ９３は、緊急発信を受信した無線ＬＡＮ装置１１の位置データである。位置データは、位置情報テーブルからＭＡＣアドレスに対応する位置データが抽出される。
固有番号９４は、緊急発信を受信した移動ＩＰ電話１０の電話番号である。
ＩＰアドレス９５は、緊急発信を受信した移動ＩＰ電話１０のＩＰアドレス９５である。
ＭＡＣアドレス９６は、緊急発信を受信した無線ＬＡＮ装置１１の識別番号である。
設置データ９７は、緊急発信を受信した無線ＬＡＮ装置１１の設置された位置に関する情報である。
位置データ９３を含むことで、移動ＩＰ電話１０が位置する範囲が特定できる。さらに固有番号９４およびＩＰアドレス９５を含むことで、再呼出を行うことができる。さらに、ＭＡＣアドレス９６を含むことで、再呼出に使用する無線ＬＡＮ装置１１を特定することができる。設置データ９７は、移動ＩＰ電話１０の位置を特定するのに使用される場合がある。
【００６６】
図９を参照して移動ＩＰ電話機１０からの緊急発信の接続方法が説明される。
移動ＩＰ電話機１０を無線ＬＡＮ装置１１に無線接続する（９０１）。
移動ＩＰ電話機１０が無線ＬＡＮ装置１１と無線接続され、移動ＩＰ電話機１０がネットワークを介して認証された時点で、無線ＬＡＮ装置１１（もしくは管理サーバ１２）が、移動ＩＰ電話機１０の個別番号あるいはＩＰアドレスを取得して一時記憶する（９０２）。
移動ＩＰ電話機１０が、緊急番号を発信する（９０３）。
無線ＬＡＮ装置１１（もしくは管理サーバ１２）が、移動ＩＰ電話機１０から発信された番号を、緊急発信番号テーブルを参照して緊急番号であるか判別する（９０４）。
緊急発信でないと判断した場合（９０５）、入力された宛先へのインターネット網１３を介した通常着信となる（９１０）。
緊急発信と判別した場合（９０５）、無線ＬＡＮ装置１１（もしくは管理サーバ１２）は、緊急発信番号に、個別番号あるいはＩＰアドレスと、位置情報である位置データと、設置データと、ＭＡＣアドレスと、発信時刻とを含めてインターネット網１３へ転送する（９０６）。
インターネット網内に設置された緊急先所轄管理サーバ１４が緊急発信番号を判別し、送付されてきた位置データから管轄する最適な緊急宛先を選択して、緊急宛先のアドレスを設定する（９０７）。緊急宛先は、通常電話網５０を介して、固定緊急電話機１５に接続される場合もある。
緊急発信は、設定され所轄の宛先の緊急電話機１５，１６に着信される（９０８）。
所轄の緊急先１５、１６の応答にて移動ＩＰ電話機１０と緊急先１５、１６の通話が可能となる（９０９）。
【００６７】
図１０を参照して、位置情報の設定方法が説明される。
位置情報設定装置４０を使用して位置情報が設定される場合が説明される。
位置情報設定装置４０が、無線ＬＡＮ装置１１の設置位置近辺でＧＰＳ部４１により位置データを取得する（１００１）。ＧＰＳ部４１による取得した位置と無線ＬＡＮ装置１１との位置が異なる場合は、ＧＰＳ部４１により取得した位置から無線ＬＡＮ装置１１の設置された方向と距離をキー入力部４４から入力する（１００２）。補正処理部４６が、ＧＰＳ部４１で取得した位置データをキー入力された方向と距離から補正する（１００３）。
無線ＬＡＮ装置１１が設置された地下、１階、２階、などの階番号および、または部屋番号の何れかを含む設置データが、キー入力部４４から入力される（１００４）。位置情報を無線ＬＡＮ装置１１（もしくは管理サーバ１２）に記憶させるために、当該位置情報設定装置４０と無線ＬＡＮ装置１１（もしくは管理サーバ１２）が、無線接続される（１００５）。もしくは、当該位置情報設定装置４０と無線ＬＡＮ装置１１（もしくは管理サーバ１２）が、有線で接続される。
位置情報設定装置４０が、無線ＬＡＮ装置１１（もしくは管理サーバ１２）へ、位置データと設定データを転送する（１００６）。
管理サーバ１２を設置したシステムでは、管理サーバ１２へ、無線ＬＡＮ装置１１のＭＡＣアドレスと関連付けて、位置データ、設置データを転送する（１００７）。
無線ＬＡＮ装置１１に対応した、位置データ、設置データおよびＭＡＣアドレスが、無線ＬＡＮ装置１１または管理サーバ１２の位置情報テーブルに記憶される（１００８）。
【００６８】
次に、ＧＰＳ部８１を有する管理サーバ１２’により位置情報を設定する場合が説明される。
ＧＰＳ部８１が、位置データを取得する（１００９）。
ＧＰＳ部８１の取得した位置と無線ＬＡＮ装置１０の設置位置とが異なる場合は、位置データを取得した位置から無線ＬＡＮ装置１１の設定された位置への方向と距離が、キー入力部８６から入力される（１０１０）。ＧＰＳ部８１が、入力された方向と距離に基づき、取得データを補正する（１０１１）。無線ＬＡＮ装置１１の設置情報がキー入力され、位置情報テーブルに記憶される（１０１１）。無線ＬＡＮ装置１１に対するＭＡＣアドレスを取得し位置情報テーブル８３に、位置データ、設置データを対応付けて記憶する（１０１２）。
無線ＬＡＮ装置１１に対応した、位置データ、設置データおよびＭＡＣアドレスが、管理サーバ１２’の位置情報テーブルに記憶される（１００８）。
【００６９】
上記のように本発明に置いて、通信可能な移動ＩＰ電話機１０は無線ＬＡＮ装置１１の限定された通信範囲内に存在するので、無線ＬＡＮ装置１１の位置を示す位置データから所轄の緊急連絡先が選択されることにより移動ＩＰ電話機１０に位置に対して好適な所轄の緊急連絡先が選択される。
さらに、無線ＬＡＮ装置１１の位置データと通信範囲から、移動ＩＰ電話機１０が存在する範囲を予想することができる。
また、緊急発信に無線ＬＡＮ装置１１のＭＡＣアドレスを付加して送付されることにより、再呼出が容易となる。さらに、緊急先所轄管理サーバ１４が発信元および接続先の情報を記憶して接続を保持し、一方のみが切断された場合に再接続することで接続を保持することができる場合がある。
【図面の簡単な説明】
【００７０】
【図１】図１は、移動ＩＰ電話による緊急発信の接続方法を説明するための通信システムの構成を示す。
【図２】図２は、無線ＬＡＮ装置の構成を示す。
【図３】図３は、管理サーバの構成を示す。
【図４】図４は、無線ＬＡＮ位置情報設定装置の構成を示す。
【図５】図５は、ＧＰＳ受信部を有する場合の管理サーバ１２’の構成を示す。
【図６Ａ】図６Ａは、無線ＬＡＮ装置に記憶される位置情報テーブルの例を示す。
【図６Ｂ】図６Ｂは、３基の無線ＬＡＮ装置を管理する管理サーバに記憶される位置情報テーブルの例を示す
【図７】図７は、緊急発信がされた時に、管理サーバの一時記憶部に記憶される一時記憶ファイルデータの例を示す。
【図８】図８は、無線ＬＡＮ装置もしくは管理サーバからインターネット網に送信される緊急発信に含まれるデータの一部を示す。
【図９】図９は、移動ＩＰ電話機からの緊急発信の接続方法のフローを示す。
【図１０】図１０は、位置データの設定方法のフローを示す。
【符号の説明】
【００７１】
１０  移動ＩＰ電話機
１１  無線ＬＡＮ装置
１２  管理サーバ
１３  インターネット網１３
１４  緊急先所轄管理サーバ
１５  固定緊急電話機
１６  ＩＰ緊急電話機
１７  ゲートウェイ
１８  ＩＳＰサーバ
２１  無線部
２２  位置情報テーブル
２２ａ  位置データ
２２ｂ  設置データ
２２ｄ  ＭＡＣアドレス
２３  緊急発信判別部
２４  一時記憶部
２５  時刻管理部
２６  ネットワークインターフェイス
２７  制御部
３２  位置情報テーブル
３２ａ  位置データ
３２ｂ  設置データ
３２ｄ  ＭＡＣアドレス
３３  緊急発信判別部
３４  一時記憶部
３４ａ  一時記憶ファイルデータ
３５  時刻管理部
３６  ネットワークインターフェース
３７  制御部
４０  無線ＬＡＮ位置情報設定装置
４１  ＧＰＳ部
４２  無線部
４３  位置情報テーブル
４４  キー入力部
４５  表示部
４６  補正処理部
４７  制御部
４８  電源部
５０  通常電話網
５１  交換機
５２  固定電話機
７１  ＭＡＣアドレス
７２  緊急番号、
７３  時刻
７４  固有番号
７５  ＩＰアドレス
８１  ＧＰＳ受信部
８２  位置情報テーブル
８３  緊急発信判別部
８４  一時記憶部
８５  時刻管理部
８６  キー入力部
８７  表示部
８８  補正処理部
８９  ネットワークインターフェース
９０  制御部
９１  緊急発信番号
９２  時刻
９３  位置データ
９４  固有番号
９５  ＩＰアドレス
９６  ＭＡＣアドレス
９７  設置データ
【図１】
2005027247.tif 000003
【図２】
2005027247.tif 000004
【図３】
2005027247.tif 000005
【図４】
2005027247.tif 000006
【図５】
2005027247.tif 000007
【図６Ａ】
2005027247.tif 000008
【図６Ｂ】
2005027247.tif 000009
【図７】
2005027247.tif 000010
【図８】
2005027247.tif 000011
【図９】
2005027247.tif 000012
【図１０】
2005027247.tif 000013